(57)【要約】【課題】レーザ光にロスが生じることなく、しかも治療部位を明るく観察することのできるレーザ手術装置を提供する。【解決手段】治療用のレーザ光を発振する治療用レーザ光源１１と、照明光学系２０と、観察光学系３０と、治療部位Ｅａに照準を合わせるための照準光を発振する照準用レーザ光源４０と、治療用レーザ光源１１により発振されたレーザ光と照準用レーザ光源４０により発振された照準光を導光する光ファイバ１２と、光ファイバ１２に導光されたレーザ光と照準光を治療部位Ｅａに照射する照射光学系５０とを備え、 前記照準光を反射する第１反射部材６１と、前記レーザ光を反射する第２反射部材６２とを備え、光ファイバ１２の出射端面１２ｂから出射される光を治療部Ｅａに向けて反射させる反射位置へ第１反射部材６１と第２反射部材６２のどちらか一方を切り換え可能に配置した。【選択図】図１
2010000179.tif 000002
【特許請求の範囲】
【請求項１】
治療用のレーザ光を発振するレーザ光発振手段と、治療部位を照明する照明光学系と、その治療部位を観察する観察光学系と、前記治療部位に照準を合わせるための照準光を発振する照準光出力手段と、前記レーザ光発振手段により発振されたレーザ光と前記照準光出力手段により発振された照準光を導光する光ファイバと、前記光ファイバに導光されたレーザ光と照準光を前記治療部位に照射する照射光学系とを備えたレーザ手術装置において、
前記照準光を反射する第１光学反射部材と、前記レーザ光を反射する第２光学反射部材とを備え、
前記光ファイバの出射端から出射される光を前記治療部に向けて反射させる反射位置へ前記第１光学反射部材と第２光学反射部材のどちらか一方を切り換え可能に配置できるようにしたことを特徴とするレーザ手術装置。
【請求項２】
第１光学反射部材と第２光学反射部材とのなす角度が約４５°でこれらが一体となって回動することにより、前記反射位置へ切り換え可能に配置されることを特徴とする請求項１に記載のレーザ手術装置。
【請求項３】
第１，第２光学反射部材が前記反射位置に配置されたことを検知するセンサを設けたことを特徴とする請求項１または請求項２に記載のレーザ手術装置。
【請求項４】
第１光学反射部材は、前記照準光を反射させ且つ透過する特性を有することを特徴とする請求項１ないし請求項３のいずれか１つに記載のレーザ手術装置。
【請求項５】
第２光学反射部材は、観察光学系の観察光路から外れた部分に照準光を全反射する特性を有することを特徴とする請求項１ないし請求項４のいずれか１つに記載のレーザ手術装置。
【発明の詳細な説明】
【技術分野】
【０００１】
この発明は、レーザ光発振手段で発振したレーザ光を治療部位に照射するレーザ手術装置に関する。
【背景技術】
【０００２】
従来から、照準光で治療部位を照射してその照射位置を照準した後、その照射位置にレーザ光を照射するレーザ手術装置が知られている（特許文献１参照）。
【０００３】
かかるレーザ手術装置は、治療用のレーザ光を発振するレーザ光源と、治療部位を照明する照明光学系と、その治療部位を観察するための観察光学系と、治療部位を照準するための照準光を発振する照準用レーザ光源と、レーザ光源および照準用レーザ光源により発振されたレーザ光および照準光を導光する光ファイバと、この光ファイバに導光されたレーザ光と照準光を治療部位に照射する照射光学系とを備えている。
【０００４】
照射光学系は、光ファイバの出射端から出射されるレーザ光を治療部位に向けて反射させる反射ミラーを備え、この反射ミラーで反射されたレーザ光は対物レンズを介して治療部位を照射することになる。
【特許文献１】特開２００５−４６２４７号公報
【発明の開示】
【発明が解決しようとする課題】
【０００５】
しかしながら、このようなレーザ手術装置では、反射ミラーが対物レンズの光軸上に設けられているため、図８に示すように、反射ミラー１を大きくすると観察光学系の観察光路２を遮ることになり、治療部位を十分な明るさで観察することができなくなってしまう。逆に、観察光路を遮らないように反射ミラーを小さくすると、レーザ光３にロスが生じるという問題がある。
【０００６】
この発明の目的は、レーザ光にロスが生じることなく、しかも治療部位を明るく観察することのできるレーザ手術装置を提供することにある。
【課題を解決するための手段】
【０００７】
請求項１の発明は、治療用のレーザ光を発振するレーザ光発振手段と、治療部位を照明する照明光学系と、その治療部位を観察する観察光学系と、前記治療部位に照準を合わせるための照準光を発振する照準光出力手段と、前記レーザ光発振手段により発振されたレーザ光と前記照準光出力手段により発振された照準光を導光する光ファイバと、前記光ファイバに導光されたレーザ光と照準光を前記治療部位に照射する照射光学系とを備えたレーザ手術装置において、
前記照準光を反射する第１光学反射部材と、前記レーザ光を反射する第２光学反射部材とを備え、
前記光ファイバの出射端から出射される光を前記治療部に向けて反射させる反射位置へ前記第１光学反射部材と第２光学反射部材のどちらか一方を切り換え可能に配置できるようにしたことを特徴とする。
【０００８】
請求項２の発明は、第１光学反射部材と第２光学反射部材とのなす角度が約４５°でこれらが一体となって回動することにより、前記反射位置へ切り換え可能に配置されることを特徴とする。
【０００９】
請求項３の発明は、第１，第２光学反射部材が前記反射位置に配置されたことを検知するセンサを設けたことを特徴とする。
【００１０】
請求項４の発明は、第１光学反射部材は、前記照準光を反射させ且つ透過する特性を有することを特徴とする。
【００１１】
請求項５の発明は、第２光学反射部材は、観察光学系の観察光路から外れた部分に照準光を全反射する特性を有することを特徴とする。
【発明の効果】
【００１２】
この発明によれば、レーザ光にロスが生じることなく、しかも治療部位を明るく観察することができる。
【発明を実施するための最良の形態】
【００１３】
以下、この発明に係るレーザ手術装置の実施の形態である一実施例を図面に基づいて説明する。
【実施例】
【００１４】
[構成]
図１に示すレーザ手術装置１０は、治療用レーザ光を発振する治療用レーザ光源（レーザ光発振手段）１１と、被検眼Ｅの治療部位Ｅａを照明するための照明光学系２０と、その治療部位Ｅａを観察するための観察光学系３０と、治療部位に照準を合わせるための照準レーザ光（照準光）を発振する照準用レーザ光源（照準光出力手段）４０と、治療用レーザ光源１１から発振された治療用レーザ光と照準用レーザ光源４０から発振された照準レーザ光を導光する光ファイバ１２と、この光ファイバ１２に導光されたレーザ光と照準光を治療部位Ｅａに照射するための照射光学系５０とを備えている。
【００１５】
治療用レーザ光源１１は、５３２ｎｍの波長の治療用レーザ光を発振するものである。この治療用レーザ光は、ダイクロイックミラー１３を透過して集光レンズ１４により光ファイバ１２の入射端面１２ａに集光されて光ファイバ１２内に導入される。
【００１６】
照準用レーザ光源４０は、６３５ｎｍの波長の照準用レーザ光を発振するものである。この照準用レーザ光は、ダイクロイックミラー１３により反射されて集光レンズ１４により光ファイバ１２の入射端面１２ａに集光されて光ファイバ１２内に導入される。光ファイバ１２内に導入されたレーザ光は導光されて出射端面（出射端）１２ｂから出射される。
【００１７】
照射光学系５０は、光ファイバ１２の出射端面１２ｂから出射されるレーザ光を集光して平行光束にするレンズ５１と、このレンズ５１により平行光束にされたレーザ光を集光する集光レンズ５２と、被検眼Ｅにおける合焦位置でのレーザ光のスポット径の大きさを変更するためのレンズ５３，５４と、このレンズ５３，５４を透過したレーザ光を平行光束にするレンズ５５と、このレンズ５５により平行光束にされたレーザ光を被検眼Ｅに向けて反射させる反射手段６０と、この反射手段６０で反射されたレーザ光を被検眼Ｅの治療部位Ｅａへ集光させる対物レンズ５６とを有している。なお、Ｐは被検眼Ｅに装着したコンタクトレンズであり、これは被検眼のパワーを打ち消すためのものである。
【００１８】
反射手段６０は、４５度の入射にて６３５ｎｍの波長の光を５０％透過し５０％反射させ且つその波長以外の光を全透過する第１反射部材６１と、４５度の入射にて５３２ｎｍの波長の光を全反射し且つ６３５ｎｍの波長の光を５０％透過し５０％反射させるとともに５３２ｎｍおよび６３０ｎｍの波長以外の波長域の光を全透過させる第２反射部材６２とを有している（図５参照）。
【００１９】
この第１反射部材６１と第２反射部材６２は、所定の角度をなして一体に連結されており、第１，第２反射部材６１，６２は一体に回動して図２に示す位置へ切り換えられるようになっている。すなわち、対物レンズ５６の光軸に対して４５°の角度となる位置に配置されるようになっている。この第１，第２反射部材６１，６２の位置の切り換えは例えばソレノイドなどで行われる。
【００２０】
なお、治療用レーザ光が観察光学系に入らないように第１，第２反射部材６１，６２のなす角度は４５°より小さく設定されている。
【００２１】
また、第１，第２反射部材６１，６２が図２に示す位置へ切り換えられると、図示しないマイクロスイッチ（センサ）により検知されるようになっている。
【００２２】
照明光学系２０は、ハロゲンランプ等の照明光源２１と、この照明光源２１から射出された照明光を反射して被検眼Ｅの瞳孔へ入射させる分割ミラー２３とを有している。
【００２３】
観察光学系３０は、左右一対の接眼レンズ系３１と、結像レンズ３２と、５３２ｎｍの波長の光をカットするフィルタＦと、変倍光学系３３とを有している。
［動  作］
次に、上記のように構成されるレーザ手術装置１０の動作について説明する。
【００２４】
先ず、図１に示すように、反射手段６０の第１反射部材６１を光路中に配置させておくとともに照明光源２１を点灯させる。この照明光源２１から発光された照明光が分割ミラー２３を介して被検眼Ｅの瞳孔に入射し、被検眼Ｅの眼底を照明する。眼底の反射光は、対物レンズ５６，第１反射部材６１，変倍光学系３３，フィルタＦおよび結像レンズ３２等を介して接眼レンズ系３１に達する。検者は接眼レンズ系３１を通して眼底を観察し、治療部位Ｅａを見付ける。
【００２５】
この際、第１反射部材６１は、６３５ｎｍの波長以外の波長域の光を全透過するので、眼底を明るく観察することができ、このため治療部位Ｅａは見付け易いものとなる。
【００２６】
治療部位Ｅａを見付けたら、照準用レーザ光源４０から照準用レーザ光を発振させる。この照準用レーザ光は、ダイクロイックミラー１３により反射されて集光レンズ１４により光ファイバ１２の入射端面１２ａに集光され、光ファイバ１２内に導入される。光ファイバ１２内に導入された照準用レーザ光は光ファイバ１２の出射端面１２ｂから出射される。
【００２７】
出射端面１２ｂから出射された照準用レーザ光は、各レンズ５１〜５５を透過して第１反射部材６１に達し、ここで反射して対物レンズ５６により被検眼Ｅの眼底に照射される。この眼底で反射される照準用レーザ光は、対物レンズ５６，第１反射部材６１（５０％透過），変倍光学系３３，フィルタＦおよび結像レンズ３２等を介して接眼レンズ系３１に達し、検者は照準用レーザ光の照射位置すなわち眼底に形成される照準用レーザ光のスポットを観察することができることになる。
【００２８】
そして、光学系２０，３０，５０を備えた本体を左右上下に移動させてそのスポットを治療部位Ｅａに一致させる。スポットが治療部位Ｅａに一致したら、図２に示すように、反射手段６０を回動させて第１，第２反射部材６１，６２を光路中に配置させる。これにより、レンズ５１〜５５を透過してきた照準用レーザ光は第２反射部材６２により反射されることになる。
【００２９】
ここで、第１反射部材６１は、図３に示すように、対物レンズ５６の光軸に対して４５°の傾きで光路に配置されているとき、６３０ｎｍの波長の光を反射させ他の波長域の光を透過するが、図４に示すように、対物レンズ５６の光軸に対して直交する位置に配置されると、特性が変わって６４０ｎｍの波長の光を反射させ他の波長域の光を透過するようになる。
【００３０】
このため、図２に示す第２反射部材６２で反射した照準用レーザ光は第１反射部材６１を透過し、対物レンズ５６により被検眼Ｅの治療部位Ｅａを照射する。この治療部位Ｅａで反射する照準用レーザ光は、対物レンズ５６および第１，第２反射部材６１，６２（５０％透過）を透過し、変倍光学系３３，フィルタＦおよび結像レンズ３２等を介して接眼レンズ系３１に達するので、検者は照準用レーザ光の照射位置を確認することができる。
【００３１】
この際も、５３２ｎｍ，６４０ｎｍ以外の波長域の光は第２反射部材６２を透過するので、眼底を観察することできることになる。
【００３２】
次に、治療用レーザ光源１１から治療用レーザ光を発振させる。この場合、マイクロスイッチが第１，第２反射部材６１，６２を検知していないときには、治療用レーザ光源１１が治療用レーザ光を発振しないようにしておく。
【００３３】
治療用レーザ光源１１から発振された治療用レーザ光は、ダイクロイックミラー１３を透過して集光レンズ１４により光ファイバ１２の入射端面１２ａに集光されて光ファイバ１２内に導入され、光ファイバ１２の出射端面１２ｂから出射される。
【００３４】
出射端面１２ｂから出射された治療用レーザ光は、各レンズ５１〜５５を透過して第２反射部材６２に達し、ここで全反射して第１反射部材６１を透過し、対物レンズ５６により被検眼Ｅの治療部位Ｅａを照射する。
【００３５】
このように、治療用レーザ光は第２反射部材６２で全反射し且つ第１反射部材６１を全透過し、しかも観察光学系３０の観察光路（図８参照）にかかっても問題がないことにより、治療用レーザ光の光束の全てを第２反射部材６２で反射させることができるので、治療用レーザ光のロスをなくして治療部位Ｅａを照射することができる。
【００３６】
治療部位Ｅａで反射する治療用レーザ光は、対物レンズ５６および第１反射部材６１を透過するが、第２反射部材６２は図５に示す特性を有しているので、５３２ｎｍの波長の治療用レーザ光は、第２反射部材６２で全反射し、また、５３２ｎｍの波長の光をカットするフィルタＦが観察光学系３０に配置されていることにより、検者の観察眼に到達してしまうことはない。治療用レーザ光の照射中も、５３２ｎｍ，６３０ｎｍ以外の波長域の光は第２反射部材６２を全透過するので、眼底を観察することできる。
【００３７】
図６は、第２反射部材１６２の他の例を示したものであり、この第２反射部材１６２の中央部（２つの観察光路に挟まれる部分）に、照準用レーザ光を全反射させる照準光全反射帯１６２Ａを設けたものである。この照準光全反射帯１６２Ａの両側の反射ミラー部分１６２Ｂは、図７に示すように５３２ｎｍの波長の光を全反射し、他の波長の光を全透過するようになっている。
【００３８】
この第２反射部材１６２を用いると、照準光全反射帯１６２Ａで照準用レーザ光が全反射し、反射ミラー部分１６２Ｂが６３０ｎｍの波長の光を透過することにより、治療用レーザ光を照射している間でも眼底上の照準位置が分かり易いものとなる。
【００３９】
この発明は上記実施例に限らず、この発明を逸脱しない範囲で種々設計変更できることは勿論である。
【図面の簡単な説明】
【００４０】
【図１】この発明にかかるレーザ手術装置の構成を示した光学配置図である。
【図２】第１，第２反射部材を切り換えた状態を示した光学配置図である。
【図３】第１反射部材の光学特性を示した説明図である。
【図４】第１反射部材の位置を切り換えた場合の光学特性を示した説明図である。
【図５】第２反射部材の光学特性を示した説明図である。
【図６】第２反射部材の他の例を示した説明図である。
【図７】図６に示す第２反射部材の反射ミラー部分の光学特性を示した説明図である。
【図８】反射ミラーに対する観察光学系の観察光路とレーザ光との位置関係を示した説明図である。
【符号の説明】
【００４１】
１０            レーザ手術装置
１１            治療用レーザ光源（レーザ光発振手段）
１２            光ファイバ
１２ｂ          出射端面（出射端面）
２０            照明光学系
３０            観察光学系
４０            照準用レーザ光源（照準光出力手段）
５０            照射光学系
６１            第１反射部材
６２            第２反射部材
Ｅａ            治療部位
【図１】
2010000179.tif 000003
【図２】
2010000179.tif 000004
【図３】
2010000179.tif 000005
【図４】
2010000179.tif 000006
【図５】
2010000179.tif 000007
【図６】
2010000179.tif 000008
【図７】
2010000179.tif 000009
【図８】
2010000179.tif 000010